(57)【要約】      （修正有）【課題】簡単に寝具を延長することができる寝具カバーを提供する。【解決手段】寝具カバー１０は、表地１１１と裏地との間に寝具１４が収容可能な略矩形状のカバー本体１１と、カバー本体と一体に設けられ、表地と裏地との間に充填材が充填された延長部１２とを有する。延長部は、カバー本体の４つの側部のうち少なくとも１つの側部に取り付けられることが好ましい。延長部は、カバー本体の長手方向の一方の側部又は両側部に沿って延びてもよい。また、延長部はカバー本体の幅方向の両側部に沿って延びてもよい。また、延長部は、カバー本体の幅方向の両側部と、長手方向の一方の側部又は両側部とに沿って延びてもよい。【選択図】図１
0003193594.tif 000002
【実用新案登録請求の範囲】
【請求項１】
表地と裏地との間に寝具が収容可能な略矩形状のカバー本体と、
前記カバー本体と一体に設けられ、表地と裏地との間に充填材が充填された延長部とを有する寝具カバー。
【請求項２】
前記延長部は、前記カバー本体の４つの側部のうち少なくとも１つの側部に取り付けられる請求項１に記載の寝具カバー。
【請求項３】
前記延長部は、前記カバー本体の長手方向の一方の側部又は両側部に沿って延びる請求項２に記載の寝具カバー。
【請求項４】
前記延長部は前記カバー本体の幅方向の両側部に沿って延びる請求項２に記載の寝具カバー。
【請求項５】
前記延長部は、前記カバー本体の長手方向の一方の側部又は両側部と、前記カバー本体の幅方向の両側部とに沿って延びる請求項２に記載の寝具カバー。
【請求項６】
前記延長部は、前記カバー本体の長手方向の少なくとも１つの側部の全体に亘って延びており、前記カバー本体の幅方向における前記延長部の中央部には、前記カバー本体に向かって窪む切欠部が形成されている請求項３または５に記載の寝具カバー。
【請求項７】
前記延長部は、前記カバー本体の表地に取り付けられ、平面視において前記カバー本体と重なる重なり部分と、前記カバー本体の幅方向の一側部より外側に突出している突出部分を備え、
前記カバー本体に前記寝具が収容された状態で、前記突出部分は、前記カバー本体の側方に垂れる請求項１に記載の寝具カバー。
【請求項８】
前記延長部には、キルティングにより前記充填材を充填するための室が複数形成されている請求項１から８のいずれかに記載の寝具カバー。
【請求項９】
前記充填材はポリエステル、ポリプロフィレン、人口繊維、獣毛、羊毛、羽毛のいずれか１つからなる請求項１から９のいずれかに記載の寝具カバー。
【考案の詳細な説明】
【技術分野】
【０００１】
本考案は、寝具を延長するための寝具カバーに関する。
【背景技術】
【０００２】
市販の掛け布団、敷布団などの寝具には、シングル、ダブルなどの種類があり、種類毎に所定のサイズの寝具が流通している。例えば、市販のシングルの掛け布団の場合、幅方向の寸法が１５０ｃｍ、長手方向の寸法が２１０ｃｍのサイズである。
【考案の概要】
【考案が解決しようとする課題】
【０００３】
このような市販の寝具は、必ずしも使用者の希望するサイズであるとは限らない。例えば背の高い使用者の場合、市販のシングルの掛け布団では長手方向の寸法が足りずに掛け布団から体の一部が出てしまうことがある。また、寝返りを打っても掛け布団が体からずれないように、幅方向の寸法が長い掛け布団を望む使用者もいる。このような、市販の寝具とは異なるサイズの寝具を所望する使用者は、手間やコストのかかるオーダーメードで所望のサイズの寝具を作っていた。
【０００４】
本考案は、上記した課題に着目してなされたものであり、市販の寝具を用いて簡単に寝具を延長することのできる寝具カバーを提供することを目的とする。
【課題を解決するための手段】
【０００５】
本考案の上記目的は、表地と裏地との間に寝具が収容可能な略矩形状のカバー本体と、前記カバー本体と一体に設けられ、表地と裏地との間に充填材が充填された延長部とを有する寝具カバーにより達成される。
【０００６】
前記構成によれば、延長部には充填材が充填されており、カバー本体に市販の寝具を収容することで延長部は市販の寝具と一体となるため、簡単に寝具を延長することができる。
【０００７】
前記延長部は、前記カバー本体の４つの側部のうち少なくとも１つの側部に取り付けられることが好ましい。
【０００８】
前記延長部は、前記カバー本体の長手方向の一方の側部又は両側部に沿って延びてもよい。
【０００９】
前記延長部は前記カバー本体の幅方向の両側部に沿って延びてもよい。
【００１０】
前記延長部は、前記カバー本体の幅方向の両側部と、前記カバー本体の長手方向の一方の側部又は両側部とに沿って延びてもよい。
【００１１】
前記構成によれば、カバー本体に市販の寝具を収容することで、長手方向や幅方向に寝具を延長することができる。
【００１２】
本考案の寝具カバーが掛け布団カバーとして用いられる場合であって、延長部がカバー本体の長手方向の側部に沿って延びており、該延長部が使用者の脚側に設けられるときには、延長部をカバー本体と敷布団の間に折り返して掛け布団カバーを使用してもよい。使用者の脚をカバー本体と延長部との間に配置することで、延長部が脚で敷布団に押さえつけられるので、カバー本体と敷布団の間に隙間が生じず、隙間から冷たい空気が入ることを防ぐことができる。
【００１３】
前記延長部は、前記カバー本体の長手方向の少なくとも１つの側部の全体に亘って延びており、前記カバー本体の幅方向における前記延長部の中央部には、前記カバー本体に向かって窪む切欠部が形成されていてもよい。
【００１４】
本考案の寝具カバーが掛け布団カバーとして用いられる場合であって、延長部が使用者の頭側に設けられるときには、使用者の首周りが延長部の切欠部に納まるため、延長部が首周りを圧迫するのを防ぐことができる。
【００１５】
上記構成の寝具カバーの好ましい他の実施態様においては、前記延長部は、前記カバー本体の表地に取り付けられ、平面視において前記カバー本体と重なる重なり部と、前記カバー本体の幅方向の一側部より外側に突出している突出部を備え、前記カバー本体に前記寝具が収容された状態で、前記突出部は、前記カバー本体の側方に垂れることを特徴としている。
【００１６】
上記の本考案の寝具カバーが枕カバーとして用いられる場合、使用者は、突出部が使用者の体の側に垂れるようにして、枕に頭を載置して仰臥する。このとき、突出部は使用者の首や肩の下に位置するので、使用者の首や肩を下から支えることができる。このため、使用者の首や肩への負担が軽くなり、肩こり等が軽減される。
【００１７】
前記延長部は、キルティングにより前記充填材を充填するための室が複数形成されている。
【００１８】
延長部には室が形成されているので、各室に充填された充填材は各室から外に移動することがなく、充填材が延長部内で偏るのを防ぐことができる。
【００１９】
また、延長部の充填材をポリエステル、ポリプロフィレン、人口繊維、獣毛、羊毛、羽毛など、家庭で洗濯可能な素材とすることで、寝具カバー全体を洗濯することが可能となる。
【考案の効果】
【００２０】
本考案に係る寝具カバーによれば、延長部には充填材が充填されおり、カバー本体に市販の寝具を収容することで延長部は市販の寝具と一体となるため、簡単に寝具を延長することができる。  
【図面の簡単な説明】
【００２１】
【図１】本考案の第１実施形態に係る掛け布団カバーの平面図である。
【図２】掛け布団カバーの使用例の説明図である。
【図３】第１実施形態の第１変形例を示す平面図である。
【図４】第１実施形態の第２変形例を示す平面図である。
【図５】第１実施形態の第３変形例を示す平面図である。
【図６】第１実施形態の第４変形例を示す平面図である。
【図７】第１実施形態の第５変形例を示す平面図であり、切欠部を設けた例である。
【図８】第１実施形態の第６変形例を示す平面図であり、図３に示す第１変形例において切欠部を設けた例である。
【図９】第１実施形態の第７変形例を示す平面図であり、図５に示す第３変形例において切欠部を設けた例である。
【図１０】図６の実施形態の第８変形例を示す平面図であり、図６に示す第４変形例において切欠部を設けた例である。
【図１１】本考案の第２実施形態に係る枕カバーの平面図である。
【図１２】枕カバーの側面図である。
【考案を実施するための形態】
【００２２】
以下、本考案の寝具カバーの実施形態について、添付図面を参照しながら説明する。本実形態では、本考案の寝具カバーを掛け布団カバー１０として用いた場合について説明する。
図１は本考案の第１実施形態に係る掛け布団カバー１０の平面図、図２は掛け布団カバー１０の使用例の説明図である。
【００２３】
掛け布団カバー１０は、カバー本体１１と、カバー本体１１と一体に設けられた延長部１２とを備えている。掛け布団カバー１０は、表地１１１と裏地（図示せず）を縫い合わせて形成されるものであり、第１のキルティング１３により延長部１２とカバー本体１１とが区分けされている。
【００２４】
本実施形態では、略矩形状のカバー本体１１の長手方向は使用者Ｕの体が延びる方向であり、長手方向の一方側を頭側（使用者Ｕの頭Ｕａが配置される側）と称し、他方側を脚側（使用者Ｕの脚Ｕｂが配置される側）と称する。
【００２５】
カバー本体１１は、略矩形状を呈し、表地１１１と裏地との間に掛け布団１４が収容可能である。
カバー本体１１の幅方向の一方の側部には、掛け布団１４を出し入れするための開口（図示せず）が長手方向に沿って形成され、この開口を開閉可能とするための開閉具１１２が設けられている。開閉具１１２は、本実施形態ではスライドファスナーである。スライドファスナーは、複数のエレメントが直線状に設けられ表地に取り付けられる第１ファスナーと、同じく複数のエレメントが直線状に設けられ裏地に取り付けられる第２ファスナーとから構成され、さらに、スライドファスナーにはスライダーが装着されている。スライダーを操作することで、第１と第２のファスナーのエレメント同士が連結又は分離して、開口が開閉可能となっている。なお開閉具１１２はスライドファスナーに限定されず、面ファスナー、紐、ボタン、あるいはフックであってもよい。
【００２６】
また、カバー本体１１の内部であって、カバー本体１１の四隅、長手方向の両側部の中央部及び幅方向の両側部の中央部には、それぞれ、２本の紐１１３が取り付けられている。掛け布団１４には、カバー本体１１に掛け布団１４を収容した状態で、カバー本体１１の紐１１３に対応する位置に、ループ状に縫い付けられた紐（図示せず）が取り付けられている。カバー本体１１の紐１１３に掛け布団１４の２本の紐を結びつけることで、掛け布団１４がカバー本体１１の内部でずれるのを防いでいる。
【００２７】
延長部１２は、カバー本体１１の４つの側部のうち少なくとも１つの側部に設けられている。本実施形態では、延長部１２は、カバー本体１１の長手方向の一方の側部であって使用者Ｕの脚側の側部１１ａに設けられている。
【００２８】
延長部１２は略矩形状を呈しており、カバー本体１１の側部１１ａの全体に沿って延びている。また、延長部１２は、表地１１１と裏地との間に充填材（図示せず）が充填されている。詳細には、延長部１２には、長手方向に直線状に延びる第２のキルティング１２１が幅方向に複数施されており、この第２のキルティング１２１により略同一の矩形状を呈する室１２２が複数（図１では４つ）形成されている。各室１２２には充填材が充填されており、該充填材は、ポリエステル、ポリプロフィレン、人口繊維、獣毛、羊毛、羽毛など、家庭で洗濯が可能な素材である。
なお、第２のキルティング１２１は本実施形態では長手方向に直線状に延びているが、本実施形態に限定されず、斜めに延びていてもよく、曲線であってもよい。また、室１２２は本実施形態では矩形状を呈しているが、本実施形態に限定されず、三角形状、台形状など任意の形状であってもよい。また、複数の室１２２の大きさや形状がそれぞれ異なっていてもよい。
【００２９】
本考案の掛け布団カバー１０は以下のように製造される。
まず、表地１１１と裏地とが重ね合わせて配置され、第２のキルティング１２１が施される。次に、表地１１１の側縁と裏地の側縁が縫い合わせられるとともに、第１のキルティング１３が施される。
この際、カバー本体１１の表地１１１の側縁と裏地の側縁の縫い合わせは、カバー本体１１の側縁に開口が開くよう施され、開口には開閉具１１２が取り付けられる。図１のように開閉具１１２がファスナーである場合には、表地に第１ファスナーが取り付けられ、裏地に第２ファスナーが取り付けられる。
【００３０】
また、延長部１２の表地１１１の側縁と裏地の側縁の縫い合わせは、室１２２に充填材を吹き込むための吹込口（図示せず）が開くように施される。さらに、複数の第２のキルティング１２１は、それぞれ、各室１２２に充填材を吹き込むための吹込口（図示せず）が開くように施される。これらの吹込口を介して、充填材吹き込み用のノズル等により各室１２２に充填材が充填される。
充填材の充填後、各吹込口を縫い合わせて閉じる。
【００３１】
なお、上記の方法において、まず、表地１１１の側縁と裏地の側縁が縫い合わせられるとともに、第１のキルティング１３が施され、次に、第２のキルティング１２１が施されてもよい。その他の工程は上記の方法と同様である。
【００３２】
また、以下に示す他の方法で掛け布団カバー１０を製造してもよい。
まず、表地１１１と裏地とが重ね合わせて配置され、表地１１１の側縁と裏地の側縁が縫い合わせられるとともに、第１のキルティング１３が施される。このとき、延長部１２の表地１１１の側縁と裏地の側縁の縫い合わせは、延長部１２に充填材を吹き込むための吹込口（図示せず）が開くように施される。
次に、これらの吹込口を介して、延長部１２に充填材が充填される。充填材は長繊維をシート状に成形した充填材であってもよく、充填材吹き込み用のノズル等により充填される短繊維形状の充填材であってもよい。
【００３３】
充填材の充填後、各吹込口を縫い合わせて閉じる。その後、延長部１２に第２キルティング１２１が施される。
充填材がシート状である場合には、第２のキルティングは表地１１１と充填材と裏地の３層を縫い合わせるものであってもよい。
また、充填材が短繊維形状の場合には、第２のキルティング１２１が施される箇所に充填材が位置しないよう充填材を寄せながら表地１１１と裏地を縫い合わせ、第２のキルティング１２１としてもよい。また、充填材がシート状である場合と同様に、表地１１１と充填材と裏地の３層を縫い合わせるものであってもよい。
【００３４】
なお、上記の他の方法において、延長部１２に充填材が充填された後、第２のキルティングを施し、その後に吹込口を縫い合わせて閉じてもよい。
掛け布団カバー１０の製造方法は上記の方法に限られるものではなく、その他の様々な方法であってもよい。
【００３５】
前記構成によれば、延長部１２には充填材が充填されおり、カバー本体１１に市販の掛け布団１４を収容することで延長部１２は市販の掛け布団１４と一体となるため、簡単に掛け布団１４を延長することができる。
【００３６】
また、市販の掛け布団１４に本考案の掛け布団カバー１０を使用し、図２に示すように、延長部１２をカバー本体１１と敷布団（図示せず）の間に折り返し、使用者Ｕの脚Ｕｂをカバー本体１１と延長部１２との間に入れて使用してもよい。これにより、延長部１２が脚Ｕｂで敷布団に押さえつけられるので、カバー本体１１と敷布団の間に隙間が生じず、隙間から冷たい空気が入ることを防ぐことができる。
【００３７】
また、本実施形態では、寝具カバーを掛け布団カバー１０として用いた場合について説明したが、寝具カバーを敷布団カバーとして用いてもよい。
さらに、延長部１２はカバー本体１１の長手方向の一方の側部であって使用者Ｕの頭側の側部に設けられてもよい。
【００３８】
また、本実施形態では、表地と裏地に第１のキルティング１３を施すことでカバー本体１１と延長部１２を区分けしているが、延長部１２とカバー本体１１とを別体として構成し、ファスナー、面ファスナー、紐、ボタン、あるいはフックなどの係止具により延長部１２をカバー本体１１に着脱可能に取り付けてもよい。さまざまなサイズの延長部１２を予め用意し、使用者Ｕが好みのサイズの延長部１２を選択することで、異なる使用者Ｕが寝具を用いる場合であっても、寝具を各使用者Ｕの所望の大きさに延長することがすることができる。
【００３９】
図３〜図１０は、図１、図２に示す第１実施形態の第１〜第８の変形例を示す。図３〜図１０においては、図１、図２に示す実施形態と異なる構成について説明し、図１、図２に示す実施形態と同一の構成は、図中同一または相当部分には同一符号を付し、説明を省略する。
【００４０】
図３に示す第１実施形態の第１変形例では、延長部１２、１２は、カバー本体１１の長手方向の両方の側部全体に沿って延びている。
【００４１】
図４に示す第１実施形態の第２変形例では、延長部１２、１２はカバー本体１１の幅方向の両側部全体に沿って延びている。
延長部１２、１２には、それぞれ、幅方向に直線状に延びる第２のキルティング１２１が長手方向に複数施されている。
また、カバー本体１１の表地１１１であって幅方向の中央よりも一方側の位置には、開口が長手方向に沿って形成されており、開口には開閉具１１２が取り付けられている。
【００４２】
図５に示す第１実施形態の第３変形例では、延長部１２は、カバー本体１１の長手方向の一方の側部全体や、カバー本体１１の幅方向の両側部全体に沿って延びている。
延長部１２には、複数の第２のキルティング１２１が間隔をあけて施されている。該複数の第２のキルティング１２１には、第２のキルティング１２１ａ、１２１ａが含まれている。第２のキルティング１２１ａ、１２１ａは、カバー本体１１の幅方向の側部の延長線上に施されるものであり、延長部１２は、第２のキルティング１２１ａ、１２１ａにより、部分１２ａと、部分１２ｂ、１２ｂとに区分けされていると見ることができる。部分１２ａは、カバー本体１１の長手方向の一方の側部全体に沿って延びる部分であり、部分１２ｂ、１２ｂは、カバー本体１１の幅方向の両側部全体及び部分１２ａの側部に沿って延びる部分である。部分１２ａはカバー本体１１の長手方向の頭側の側部に設けられてもよく、脚側の側部に設けられていてもよい。
部分１２ａに施される第２のキルティング１２１は、カバー本体１１の長手方向に直線状に延びており、部分１２ｂ、１２ｂに施される第２のキルティング１２１は、カバー本体１１の幅方向に直線状に延びている。
【００４３】
また、カバー本体１１の表地１１１であって幅方向の中央よりも一方側の位置には、開口が長手方向に沿って形成されており、開口には開閉具１１２が取り付けられている。
【００４４】
図６に示す第１実施形態の第４変形例では、延長部１２は、カバー本体１１の長手方向の両側部全体や、カバー本体１１の幅方向の両側部全体に沿って延びている。
延長部１２には、複数の第２のキルティング１２１が間隔をあけて施されている。該複数の第２のキルティング１２１には、第２のキルティング１２１ａ、１２１ａ、１２１ａ、１２１ａが含まれている。第２のキルティング１２１ａ、１２１ａ、１２１ａ、１２１ａは、カバー本体１１の幅方向の側部の延長線上に施されるものであり、延長部１２は、第２のキルティング１２１ａ、１２１ａ、１２１ａ、１２１ａにより、部分１２ａ、１２ａと、部分１２ｂ、１２ｂとに区分けされていると見ることができる。部分１２ａ、１２ａは、カバー本体１１の長手方向の両側部全体に沿って延びる部分であり、部分１２ｂ、１２ｂは、カバー本体１１の幅方向の両側部全体及び部分１２ａ、１２ａの側部に沿って延びる部分である。
部分１２ａ、１２ａに施される第２のキルティング１２１は、カバー本体１１の長手方向に直線状に延びており、部分１２ｂ、１２ｂに施される第２のキルティング１２１は、カバー本体１１の幅方向に直線状に延びている。
【００４５】
また、カバー本体１１の表地１１１であって幅方向の中央よりも一方側の位置には、開口が長手方向に沿って形成されており、開口には開閉具１１２が取り付けられている。
【００４６】
前記構成によっても、カバー本体１１の長手方向や幅方向に寝具を簡単に延長することができる。
【００４７】
図７は図１、図２に示す第１実施形態の第５変形例を示す。
図７に示す第５変形例では、延長部１２は、カバー本体１１の長手方向の一方の側部であって、使用者Ｕの頭側の側部１１ｂに設けられている。カバー本体１１の幅方向における延長部１２の中央部には、カバー本体１１に向かって窪む切欠部１２３が形成されている。第２のキルティング１２１ｂ、１２１ｂは、掛け布団カバー１０の角をなす延長部１２の２つの頂点１２ｃ、１２ｃからカバー本体１１の側部１１ｂの幅方向中央部付近に向けて、直線状に施されている。
【００４８】
上記の延長部１２を備えた寝具カバーを掛け布団カバー１０として用いる場合には、使用者Ｕの首周りが延長部１２の切欠部１２３に納まるため、延長部１２が首周りを圧迫するのを防ぐことができる。
【００４９】
図８は、第１実施形態の第６変形例を示し、延長部１２、１２は、カバー本体１１の長手方向の両側部全体に沿って延びている。カバー本体１１の長手方向の頭側の側部１１ｂの延長部１２の中央部には、カバー本体１１に向かって窪む切欠部１２３が形成されている。第２のキルティング１２１ｂ、１２１ｂは、掛け布団カバー１０の角をなす延長部１２の２つの頂点１２ｃ、１２ｃからカバー本体１１の側部１１ｂの幅方向中央部付近に向けて、直線状に施されている。
【００５０】
図９は、第１実施形態の第７変形例を示し、延長部１２は、カバー本体１１の長手方向の頭側の側部全体や、カバー本体１１の幅方向の両側部全体に沿って延びている。
延長部１２には、複数の第２のキルティング１２１が間隔をあけて施されている。該複数の第２のキルティング１２１には、第２のキルティング１２１ａ、１２１ａ及び第２のキルティング１２１ｂ、１２１ｂが含まれている。
第２のキルティング１２１ａ、１２１ａは、カバー本体１１の幅方向の側部の延長線上に施されるものであり、延長部１２は、第２のキルティング１２１ａ、１２１ａにより、部分１２ａと、部分１２ｂ、１２ｂとに区分けされていると見ることができる。部分１２ａは、カバー本体１１の長手方向の頭側の側部全体に沿って延びる部分であり、部分１２ｂ、１２ｂは、カバー本体１１の幅方向の両側部全体及び部分１２ａの側部に沿って延びる部分である。
部分１２ａに施される第２のキルティング１２１は、カバー本体１１の長手方向に直線状に延びており、部分１２ｂ、１２ｂに施される第２のキルティング１２１は、カバー本体１１の幅方向に直線状に延びている。
【００５１】
延長部１２の部分１２ａの中央部には、カバー本体１１に向かって窪む切欠部１２３が形成されている。第２のキルティング１２１ｂ、１２１ｂは、部分１２ａの２つの頂点１２ｃ、１２ｃからカバー本体１１の側部１１ｂの幅方向中央部付近に向けて、直線状に施されている。
【００５２】
また、カバー本体１１の表地１１１であって幅方向の中央よりも一方側の位置には、開口が長手方向に沿って形成されており、開口には開閉具１１２が取り付けられている。
【００５３】
図１０は、第１実施形態の第８変形例を示し、延長部１２は、カバー本体１１の長手方向の両側部全体や、カバー本体１１の幅方向の両側部全体に沿って延びている。
延長部１２には、複数の第２のキルティング１２１が間隔をあけて施されている。該複数の第２のキルティング１２１には、第２のキルティング１２１ａ、１２１ａ、１２１ａ、１２１ａ及び第２のキルティング１２１ｂ、１２１ｂが含まれている。第２のキルティング１２１ａ、１２１ａ、１２１ａ、１２１ａは、カバー本体１１の幅方向の側部の延長線上に施されるものであり、延長部１２は、第２のキルティング１２１ａ、１２１ａ、１２１ａ、１２１ａにより、部分１２ａ、１２ａと、部分１２ｂ、１２ｂとに区分けされていると見ることができる。部分１２ａ、１２ａは、カバー本体１１の長手方向の両側部全体に沿って延びる部分であり、部分１２ｂ、１２ｂは、カバー本体１１の幅方向の両側部全体及び部分１２ａ、１２ａの側部に沿って延びる部分である。
部分１２ａ、１２ａに施される第２のキルティング１２１は、カバー本体１１の長手方向に直線状に延びており、部分１２ｂ、１２ｂに施される第２のキルティング１２１は、カバー本体１１の幅方向に直線状に延びている。
【００５４】
延長部１２の頭側の部分１２ａの中央部には、カバー本体１１に向かって窪む切欠部１２３が形成されている。第２のキルティング１２１ｂ、１２１ｂは、頭側の部分１２ａの２つの頂点１２ｃ、１２ｃからカバー本体１１の側部１１ｂの幅方向中央部付近に向けて、直線状に施されている。
【００５５】
また、カバー本体１１の表地１１１であって幅方向の中央よりも一方側の位置には、開口が長手方向に沿って形成されており、開口には開閉具１１２が取り付けられている。
【００５６】
図１１は本考案の第２実施形態を示す。第２実施形態においては、第１実施形態と異なる構成のみを説明し、第１実施形態と同一の構成については図中同一または相当部分には同一符号を付し、説明を省略する。
【００５７】
本実形態では、本考案の寝具カバーを枕カバー２０として用いる場合について説明する。
図１１は枕２４がカバー本体２１に収容された枕カバー２０の平面図、図１２は該枕カバー２０の側面図である。
略矩形状の枕カバー２０の幅方向は、使用者Ｕが枕カバー２０に頭を載置して仰臥したときに使用者Ｕの体が延びる方向であり、本実施形態では、枕カバー２０の幅方向の一方側であって使用者Ｕの体が延びる側を幅方向の体側、体側と反対側を幅方向の反体側と称する。カバー本体２１及び延長部２２の幅方向は枕カバー２０の幅方向と一致する。
【００５８】
延長部２２は矩形状を呈し、延長部２２の長手方向の長さは、カバー本体２１の長手方向の長さと略同一である。延長部２２は、カバー本体２１の表地２１１に取り付けられ、平面視においてカバー本体２１と重なる重なり部分２２ａと、カバー本体２１の幅方向の体側の側部２１ａより体側に突出している突出部分２２ｂとから構成されている。図１２に示すように、カバー本体２１に枕２４が収容された状態で、突出部分２２ｂは、カバー本体２１の幅方向の体側にカバー本体２１に沿って垂れている突出部分２２ｂは枕に頭を載置して仰臥した使用者Ｕの首や肩の下に位置して、首や肩を支持する。
【００５９】
延長部２２の幅方向の反体側の側部２２ｃ（図１１）が、カバー本体２１の表地２１１と所定位置で縫い合わされることにより、延長部２２がカバー本体２１に取り付けられている。該所定位置は、カバー本体２１の幅方向の反体側の側部２１ｂから所定距離Ｐだけ内側の位置である。本実施形態ではカバー本体２１の長手方向の長さを４３ｃｍ、幅方向の長さを６３ｃｍとした場合に、所定距離Ｐを５ｃｍとしている。
なお、延長部２２をカバー本体２１に取り付ける手段は縫い合わせに限定されず、ファスナー、ホックなど、いずれの取り付け手段であってもよい。
【００６０】
延長部２２には、第３のキルティング２２１により充填材を充填するための室２２２が複数形成されている。
室２２２Ａは、第３のキルティング２２１Ａにより延長部２２の幅方向の一方側に形成され、室２２２Ｂは、第３のキルティング２２１Ｂにより延長部２２の幅方向の他方側に形成され、室２２２Ｃは、室２２２Ａと室２２２Ｂの間に形成される。第３のキルティング２２１Ａ、２２１Ｂは、延長部２２の幅方向の中央に向けて凸となるように曲がっており、その頂点が延長部２２の長手方向の中央を通る線上に位置する。
【００６１】
本考案の枕カバー２０は以下のように製造される。
まず、延長部２２が製造される。延長部２２の表地と裏地とが重ね合わせて配置され、表地の側縁と裏地の側縁が縫い合わせられるとともに、第３のキルティング２２１が施される。この際、表地２１１の側縁と裏地の側縁との縫い合わせは、室２２２に充填材を吹き込むための吹込口（図示せず）が開くように施される。さらに、複数の第３のキルティング２２１は、それぞれ、各室２２２に充填材を吹き込むための吹込口（図示せず）が開くように施される。これらの吹込口を介して、充填材吹き込み用のノズル等により各室２２２に充填材が充填される。
充填材の充填後、各吹込口を縫い合わせて閉じる。
【００６２】
さらに、カバー本体２１が形成される。カバー本体２１の表地２１１と裏地が重ね合わせて配置され、表地２１１の側縁と裏地の側縁が縫い合わせられる。この際、表地２１１の側縁と裏地の側縁の縫い合わせは、カバー本体２１の側縁に枕２４を出し入れするための開口が開くよう施され、開口には紐、ホックなどの開閉具が取り付けられてもよい。
次に、カバー本体２１の表地２１１の表面に、延長部２２の側部が縫い合わせられる。
なお、枕カバー２０の製造方法は上記の方法に限られるものではなく、他の様々な方法によるものであってもよい。
【００６３】
前記構成によれば、使用者は、突出部２２ｂが使用者Ｕの体の側に垂れるようにして、カバー本体２１に頭を載置して仰臥する。このとき、突出部２２ｂは使用者の首や肩の下に位置するので、使用者Ｕの首や肩を下から支えることができる。このため、使用者Ｕの首や肩への負担が軽くなり、肩こり等が軽減される。
【符号の説明】
【００６４】
１０  掛け布団カバー
１４  掛け布団
１１  カバー本体
１１１  表地
１１２  開閉具
１１３  紐
１２  延長部
１２１  第２のキルティング
１２２  室
１３  第１のキルティング
２０  枕カバー
２１  カバー本体
２１１  表地
２２  延長部
２２ａ  重なり部分
２２ｂ  突出部分
２２１  第３のキルティング
２２２  室
２４  枕
Ｕ  使用者
Ｕａ  使用者の頭
Ｕｂ  使用者の脚
【図１】
0003193594.tif 000003
【図２】
0003193594.tif 000004
【図３】
0003193594.tif 000005
【図４】
0003193594.tif 000006
【図５】
0003193594.tif 000007
【図６】
0003193594.tif 000008
【図７】
0003193594.tif 000009
【図８】
0003193594.tif 000010
【図９】
0003193594.tif 000011
【図１０】
0003193594.tif 000012
【図１１】
0003193594.tif 000013
【図１２】
0003193594.tif 000014